(57)【特許請求の範囲】
【請求項１】
建物の外壁体に形成された開口部に取り付けられたサッシ枠の側枠と、前記外壁体に設けられた外装材との間の前記外壁体に取り付けられるサッシ枠用の調整枠において、
前記外壁体に取り付けた際に側面となる側面部の下端部を曲げ加工により斜め下方に突出するように形成した下端水切り部と、
前記外壁体に取り付けた際に正面となる正面部の上端部に、水平或いは斜め上方に突出する上端水切り部と、
を備えたことを特徴とするサッシ枠用の調整枠。
【請求項２】
開口部が形成された外壁体と、
前記開口部に取り付けられたサッシ枠と、
前記サッシ枠の側枠の外側面に当接する当接面部を有し、前記側枠の外側面に前記当接面部を当接させた状態で、前記外壁体に取り付けられた請求項１記載のサッシ枠用の調整枠と、
を備えていることを特徴とする外壁構造。
【請求項３】
請求項２記載の外壁構造において、
調整枠の側面部における、外壁体側の端部に、外側に向かって斜めに突出する突出部を備え、
前記突出部が前記外壁体に固定されていることを特徴とする外壁構造。
【請求項４】
請求項３記載の外壁構造において、突出部が外壁体に固定された固定部が、コーキング材によって覆われていることを特徴とする外壁構造。
【発明の詳細な説明】
【０００１】
【発明の属する技術分野】
本発明は、建物の外壁体の開口部に組み込まれるサッシ枠の側面に取り付けられるサッシ枠用の調整枠及びこの調整枠が組み込まれた外壁構造に関する。
【０００２】
【背景の技術】
従来、外壁体の開口部にサッシ枠を組みこんだ場合には、このサッシ枠と外装材との間の規格寸法が異なることによってすき間が生じることがあり、このすき間を調整するため、サッシ枠側面部にケーシング枠（調整枠）が取り付けられている。
【０００３】
【発明が解決しようとする課題】
ところで、サッシ枠は、外装材よりも外方に突出して取り付けられているので、サッシ上枠の上面に溜まったゴミが開口部の上方の外壁面に吹き付けられる雨水によって流され、それがケーシング枠の側面を伝って下方に落ち、ケーシング枠下方の外装材がこの汚れた雨水により汚れて美感を害するという問題点があった。
【０００４】
上記問題点に類似した問題点を解決するものとしては、例えば、特開平８−２７０３２４号公報に開示された技術が知られている。
即ち、特開平８−２７０３２４号公報に開示された発明は、サッシ枠の下枠の下方位置に、サッシ枠から落下する雨水を受けて外壁面より外側に落下させる水切りを設けたものである。この水切りは、サッシ枠の全幅以上の長さを持ち、上面側に雨水を溜める貯留部が設けられ、この貯留部に雨水を一旦溜め、貯水部の容積を超える水量があった場合に貯水部から雨水がオーバーフローして長さ方向に均一に流れるようになっている。
しかしながら、特開平８−２７０３２４号公報に開示された発明は、サッシ枠の幅方向よりも長い水切りを別途設けなければならず、施工上、コスト上および外観上好ましくないという問題点があった。
【０００５】
本発明は、上記事情を鑑みてなされたものであって、サッシ枠の上部から流れる雨水によって壁面が汚れることなく、且つ施工性、コスト性および外観性に優れる外壁構造を提供するとともに、そのような外壁構造を形成するための使用されるサッシ枠用の調整枠を提供することを目的とする。
【０００６】
【課題を解決するための手段】
上記課題を解決するため、請求項１記載の発明は、例えば、図１〜４に示すように、建物の外壁体１に形成された開口部４に取り付けられたサッシ枠５の側枠５１と、前記外壁体１に設けられた外装材７との間の前記外壁体１に取り付けられるサッシ枠用の調整枠６（例えば、ケーシング枠）において、前記外壁体１に取り付けた際に側面となる側面部６３の下端部６３ａを曲げ加工により斜め下方に突出するように形成した下端水切り部６３１と、前記外壁体１に取り付けた際に正面となる正面部６２の上端部６２ａに、水平或いは斜め上方に突出する上端水切り部６２１と、
を備えたことを特徴としている。
【０００７】
請求項１記載の発明によれば、調整枠６の側面部６３の下端部６３ａを曲げ加工により斜め下方に突出するように形成した下端水切り部６３１によって、調整枠６の側面部６３を伝って落ちる雨水を切ることが出来ることとなって、サッシ枠５下方の外装材７の雨水による汚れを防止出来る。また、正面部６２の上端部６２ａに水平或いは斜め上方に突出して設けられた上端水切り部６２１によって、調整枠６の上端面の雨水が正面部６２に流れにくくなるので、雨水が正面部６２を回って下方に落ちることを防止し、より雨水による外装材７の汚れの発生を防止出来る。加えて、元々必要な調整枠６に付随的に水切り性能を持たせることで、加工し難いサッシ枠５に水切り機能を持たせたり、或いは別個に水切り材を設ける必要がないので、従来よりも施工性、コスト性および外観性に優れたものとなる。
【０００８】
ここで、外壁体１は、例えば、在来工法によって構築したものであってもよいし、或いはツーバイフォー工法やパネル工法によって構築されたものなどでもよい。調整枠６は、例えば、サッシ枠５の基準寸法と、外装材７の基準寸法とがずれることによって外壁体１に外装材７を貼設した場合に、サッシ枠５と外装材７の間に端数分のすき間が形成され、このすき間を埋めるために用いるものである。ここで、上端水切り部６２１は、例えば、正面部６２の上端を延出させ、その延出した部分を外側に曲げ加工することによって形成させてもよい。
【００１１】
請求項２記載の発明は、外壁構造において、開口部４が形成された外壁体１と、前記開口部４に取り付けられたサッシ枠５と、前記サッシ枠５の側枠５１の外側面に当接する当接面部６１を有し、前記側枠５１の外側面に前記当接面部６１を当接させた状態で、前記外壁体１に取り付けられた請求項１記載の調整枠６と、を備えていることを特徴としている。
【００１２】
請求項２記載の発明によれば、調整枠６の下端水切り部６３１によって、サッシ枠５及び調整枠６の上部から流れる雨水を水切り出来て、サッシ枠５下方の外装材７の汚れを防止出来る。
【００１３】
請求項３記載の発明は、請求項２記載の外壁構造において、調整枠６の側面部６３における、外壁体１側の端部に、外側に向かって斜めに突出する突出部６３２を備え、前記突出部６３２が前記外壁体１に固定されていることを特徴としている。
【００１４】
請求項３記載の発明によれば、請求項２記載の発明と同様の効果が得られることは無論のこと、特に、突出部６３２が側面部６３から外側に向かって斜めに突出しているので、突出部６３２が外壁体１へ固定される際に当接面部６１にサッシ枠５を押圧する力が作用することとなって、サッシ枠５と当接面部６１との密着性を向上させることが出来る。
【００１５】
請求項４記載の発明は、請求項３記載の外壁構造において、突出部６３２が外壁体１に固定された固定部６３２ａが、コーキング材８によって覆われていることを特徴としている。
【００１６】
請求項４記載の発明によれば、請求項３記載の発明と同様の効果が得られることは無論のこと、特に、突出部６３２が外壁体１に固定された固定部６３２ａが、コーキング材８によって覆われているので、固定部６３２ａを隠すことが出来るとともに、外壁体１と固定部６３２ａとの間の防水性を向上させることが出来る。
【００１７】
【発明の実施の形態】
以下、図を参照して本発明に係るサッシ枠用の調整枠およびこの調整枠を使用して構築した外壁構造の実施の形態について詳細に説明する。
図１は、本発明に係る外壁構造を示す外壁部の斜視図であり、図２は同正面図である。図３は、図２のＡ−Ａ部の横断面図である。
また、図４は、パネル本体部の斜視図である。
【００１８】
図１〜４に示す本発明に係る外壁体１は、いわゆるパネル工法によって構築されるものであって、外壁パネル２の端面部どうしが連結されてパネル本体３（外壁本体）が形成されている。
前記パネル本体３は、図４に示すように、２つの側壁パネル２ａ、２ａと、この側壁パネル２ａ、２ａの上方の側端面部と、下方の側端面部どうしに接合された小壁パネル２ｂと腰壁パネル２ｃとによってロ字状に形成され、該パネル本体３の一方の面には、防水シート（図示省略）が貼設されている。そして、このパネル本体３の中央部には、開口部４が設けられている。
【００１９】
側壁パネル２ａ、２ａと小壁パネル２ｂおよび腰壁パネル２ｃは、例えば、縦框材２１、２１と横框材２２、２２とが矩形状に組み立てられるとともに、この矩形枠の内部に補強芯材（図示省略）が縦横に組まれて枠体が形成され、枠体の一方の面に合板等の面材２３、２３が貼設されたものである。
側壁パネル２ａ、２ａ、小壁パネル２ｂおよび腰壁パネル２ｃどうしの接合は、図示はしないが、接着剤、締結用のボルト、或いは釘打ちによってなされる。
このように、パネル本体３は複数のパネル２ａ、２ｂ、２ｃが連結してなる連結パネルにより構成されているので、このパネル２ａ、２ｂ、２ｃから構築されているので、在来工法に比べて外壁構築を容易にすることが出来る。
なお、側壁パネル２ａ、２ａと小壁パネル２ｂおよび腰壁パネル２ｃは、１モジュール（９１０ｍｍ）を基準として寸法が規格化されており、例えば、１／８、１／４、１／２、１、２、３、４モジュール等に寸法が定められている。
【００２０】
前記防水シート（図示省略）は、例えば、ステープル打ち或いは接着剤によって外壁パネル２に張設されている。防水シートは、防水性および透湿性のシートであり、例えば、タイベック（商品名：デュポン社製）などを使用する。
前記開口部４には、サッシ枠５が取り付けられ、更に、サッシ枠５には、サッシ窓５０がはめ込まれるとともに、側枠５１の外側面に当接して長尺なケーシング枠６（調整枠）が取り付けられている。
【００２１】
前記ケーシング枠６は、例えば、アルミ、ステンレスなどの防錆性を有する材料を曲げ加工することによって製造される。そして、例えば、図３に示すように、サッシ枠５の側枠５１の側面に当接する当接面部６１と、パネル本体３に対して略水平な正面部６２と、パネル本体３に対して略垂直な側面部６３と、を備えている。
前記正面部６２の上端部６２ａには、斜め上方に突出した上端水切り部６２１が曲げ加工により設けられており、上端面に流れた水が正面部６２に回り込むことを防止している。
前記側面部６３の下端部６３ａには、斜め下方に突出する下端水切り部６３１が曲げ加工により設けられていて、側面部６３を伝って流れた雨水がこの下端水切り部６３１から流れるようになっている。
【００２２】
また、前記側面部６３のパネル本体３側の端部には、曲げ加工により外方に傾斜されて突出した突出部６３２が形成されており、この突出部６３２の上から釘６３３打ちすることにより側壁パネル２ａの縦框材２１にケーシング枠６が固定されるようになっている。従って、ケーシング枠６の当接面部６１には、サッシ枠５の側枠５１の側面を押圧する押圧力が作用してサッシ枠５とケーシング枠６との密着性が向上される。
また、防水シート（図示省略）の上からは、パネル本体３の横方向にそって所定の間隔で横胴縁（図示省略）がパネル本体３に取り付けられ、この横胴縁（図示省略）には外装材７が貼設されている。
【００２３】
前記外装材７は、例えば、タイル状の耐火性のボードからなり、前記外装材７のパネル本体３への固定は、横胴縁（図示省略）に釘打ちしたり、或いは所定の金具を取り付けて係合させることによってなされる。
前記外装材７は、１モジュール（９１０ｍｍ）を基準寸法として規格化されており、例えば、１／８、１／４、１／２、１、２、３、４モジュール等に寸法が定められている。
そして、外装材７が取り付けられた後、この外装材７の側端部７ａとケーシング枠６との間のすき間は、コーキング材８によって埋められる。これにより、突出部６３２がパネル本体３に固定された固定部６３２ａを隠すことが出来るとともに、パネル本体３と固定部６３２ａとの間の防水性を向上させることが出来る。
【００２４】
次に、本発明に係る外壁構造の施工方法について説明する。
まず、外壁パネル２を連結してパネル本体３を構築した後、防水シート（図示省略）を貼設し、開口部４を形成するパネル本体３の内側面にサッシ枠５を取り付ける。
次いで、サッシ枠５の側枠５１の側面に当接面部６１が当接するように突出部６３２を釘６３３打ちしてパネル本体３にケーシング枠６を取り付ける。
次いで、パネル本体３に横胴縁（図示省略）を所定の間隔で取り付け、その上から外装材７を貼設する。
次いで、ケーシング枠６と外装材７の間をコーキング材８で埋める。
【００２５】
なお、上記工程の全て或いは途中までは、工場にて行ってもよいし、また上記工程の全て或いは途中からを現場でおこなってもよい。
【００２６】
以上説明した本発明に係るケーシング枠６およびこのケーシング枠６を使用した外壁構造によれば、ケーシング枠６の側面部６３の下端部６３ａを曲げ加工により斜め下方に突出するように形成した下端水切り部６３１によって、ケーシング枠６の側面部６３１を伝って落ちる雨水を切ることが出来ることとなって、サッシ枠５下方の外装材７の雨水による汚れを防止出来る。更に、正面部６２の上端部６２ａに斜め上方に突出して設けられた上端水切り部６２１によって、ケーシング枠６の上端面の雨水が正面部６２に流れにくくなるので、雨水が正面部６２を回って下方に落ちることを防止出来て、より雨水による外装材７の汚れの発生を防止出来る。
【００２７】
加えて、元々サッシ枠５と外装材７のすき間を調整するために必要なケーシング枠６に付随的に水切り性能を持たせることで、加工し難いサッシ枠５に水切り機能を持たせたり、或いは別個に水切り材を設ける必要がないので、従来よりも施工性、コスト性および外観性に優れたものとなる。
即ち、ケーシング枠６自体がアルミ等の金属で作られ、下端水切り部６３１や上端水切り部６２１も曲げ加工によって容易に形成されるので、コストがかからなくてすむ。
【００２８】
なお、本発明に係るケーシング枠６および外壁構造は、本実施の形態のものに限定されるものではなく、適宜変更可能である。
例えば、下端水切り部６３１をケーシング枠６の側面部６３のみに設けたが、正面部６２の下端部６２ｂにも同様の水切りを設けてもうよい。これにより、側面部６３から正面部６２に回り込んだ雨水を確実に水切りすることが出来る。
また、例えば、下端水切り部６３１自体が中央に向かって傾斜させる構造とすることにより水の飛び出し口を外装材７から離すようにすれば、水切りした水が外装材７に付くことなく地面に落とせるので、外装材７の汚れを確実に防げる。
また、本発明は、パネル工法のみならず在来工法等にも適用可能である。
【００２９】
【発明の効果】
請求項１記載の発明によれば、調整枠の側面部の下端部を曲げ加工により斜め下方に突出するように形成した下端水切り部によって、調整枠の側面部を伝って落ちる雨水を切ることが出来ることとなって、サッシ枠下方の外壁の雨水による汚れを防止出来る。また、正面部の上端部に水平或いは斜め上方に突出して設けられた上端水切り部によって、調整枠の上端面の雨水が正面部に流れにくくなるので、雨水が正面部を回って下方に落ちることを防止し、より雨水による外壁の汚れの発生を防止出来る。加えて、元々必要な調整枠に付随的に水切り性能を持たせることで、加工し難いサッシ枠に水切り機能を持たせたり、或いは別個に水切り材を設ける必要がないので、従来よりも施工性、コスト性および外観性に優れたものとなる。
【００３１】
請求項２記載の発明によれば、サッシ枠の側枠の外側面に当接面部が当接された状態で外壁体に取り付けられた調整枠の下端水切り部によって、サッシ枠及び調整枠の上部から流れる雨水を水切り出来て、外装材の汚れを防止出来る。
【００３２】
請求項３記載の発明によれば、請求項２記載の発明と同様の効果が得られることは無論のこと、特に、突出部が側面部から外側に向かって斜めに突出しているので、突出部が外壁体へ固定される際に当接面部にサッシ枠を押圧する力が作用することとなって、サッシ枠と当接面部との密着性が向上する。
【００３３】
請求項４記載の発明によれば、請求項３記載の発明と同様の効果が得られることは無論のこと、特に、突出部が外壁体に固定された固定部が、コーキング材によって覆われているので、固定部を隠すことが出来るとともに、外壁体と固定部との間の防水性を向上させることが出来る。
【図面の簡単な説明】
【図１】本発明に係る外壁構造を示す外壁部の斜視図である。
【図２】本発明に係る外壁構造を示す外壁部の正面図である。
【図３】図２のＡ−Ａ部の横断面図である。
【図４】パネル本体部の斜視図である。
【符号の説明】
１    外壁体
２    外壁パネル
３    パネル本体
４    開口部
５    サッシ枠
６    ケーシング枠（調整枠）
７    外装材
８    コーキング材
５１    側枠
６１    当接面部
６２    正面部
６３    側面部
６２１    上端水切り部
６３１    下端水切り部
６３２    突出部
６３２ａ  固定部
【図１】
0004283955.tif 000002
【図２】
0004283955.tif 000003
【図３】
0004283955.tif 000004
【図４】
0004283955.tif 000005